(57)【要約】【課題】排水口のゴミ捕集カゴに装着した場合に、水切り袋底部の重なりを無くし、底部からの水切れ性が極めて良好な浅型排水カゴ用水切り袋を提供する。また、廃棄時に水切り袋の開口部の閉塞を容易に行えるようにした浅型排水カゴ用水切り袋を提供すること。【解決手段】通水性を有するシートを二つ折りして底部２３を形成すると共に、その自由端側を開口部２４とする。この開口部２４の一方の側に外側に折り返された折返し部２５を設ける。その上、これらの両側部２１をシール部２６によって一体的にシールする。【選択図】図２
2005213023.tif 000002
【特許請求の範囲】
【請求項１】
通水性を有するシートからなる台所用水切り袋であって、上記シートを二つ折りして底部を形成すると共に、その自由端側を開口部とし、これらの両側部を一体的にシールしたことを特徴とする浅型排水カゴ用水切り袋。
【請求項２】
開口部の一方の側に外側に折り返された折返し部を設けた請求項1に記載の浅型排水カゴ用水切り袋。
【請求項３】
通水性を有するシートからなる台所用水切り袋であって、上記シートを二つ折りして底部を形成すると共にその自由端側を開口部とし、該開口部の一方の側に外側に折り返された折返し部を設け、かつ、上記底部を内側にガゼット折りしてＷ型断面の底部とし、さらに、これらの両側部を一体的にシールすることを特徴とする浅型排水カゴ用水切り袋。
【発明の詳細な説明】
【技術分野】
【０００１】
この発明は、流し台の排水口内に装着されているゴミ捕集カゴ、特に、近年普及しはじめた浅型排水カゴに装着し、生ごみの捕集後に生ごみと一緒に廃棄可能な使い捨てタイプの浅型排水カゴ用水切り袋に関するものである。
【背景技術】
【０００２】
一般に、従来の排水カゴ用水切り袋４０は、図４示すように、左右の側面部４１をＷ型にガゼット折りしたチュ−ブ状シート４２の底部４３を一体的にシールした、いわゆる広口型のものが多い（例えば、特許文献１。）。
【特許文献１】特開平０６−２７０３６１号公報（図４）
【０００３】
しかしながら、従来の広口型の排水カゴ用水切り袋４０は、上記のように、左右の側面部４１をＷ型にガゼット折りされているために、排水口内のゴミ捕集カゴに装着すると、水切り袋４０の底部４３、特に、図４のＡおよびＢで示す部分に３層のシートの重なり部が形成され、底部４３からの水切れ性が悪化する、という問題があった。
【０００４】
他方、従来の広口型の排水ガゴ用水切り袋４０を、従来の深型ゴミ捕集カゴ（例えば、直径約１０〜１４ｃｍ、深さ約１３ｃｍ）よりも底の浅い浅型排水カゴ（例えば、直径約１０〜１４ｃｍ、深さ約４〜５ｃｍ）に装着した場合には、浅型排水カゴの側面部の面積が従来の深型ゴミ捕集カゴよりも少ないため、排水が十分に行われず、排水が台所の流しの中に溢れてしまう、という問題があった。
【０００５】
また、従来の広口型の水切り袋４０は、開口部が大きいため、使用後の水切り袋を廃棄する際に、ゴミなどの内容物が溢れないように水切り袋の開口部４４を閉塞することが困難であった。
【発明の開示】
【発明が解決しようとする課題】
【０００６】
本発明は、上記のような問題を解決するために発明したものであり、その目的とするところは、排水口内のゴミ捕集カゴに装着した場合に、水切り袋底部の重なりを無くすと共に、水切り袋の目詰まりを抑えるようにした浅型排水カゴ用水切り袋を提供することにある。
【０００７】
さらに、開口部の一方の側に折り返し部を設け、廃棄時に水切り袋の開口部の折り返し部を反転させることにより、開口部の閉塞を容易に行えるようにした浅型排水カゴ用水切り袋を提供する。
【課題を解決するための手段】
【０００８】
上記の課題を解決するため、本発明は、次のように構成されている。
請求項１の記載に係る本発明は、通水性を有するシートからなる台所用水切り袋であって、上記シートを二つ折りして底部を形成すると共にその自由端側を開口部とし、これらの両側部を一体的にシールしたことを特徴とする浅型排水カゴ用水切り袋である。
【０００９】
請求項２の記載に係る本発明は、通水性を有するシートからなる台所用水切り袋であって、上記シートを二つ折りして底部を形成すると共にその自由端側を開口部とし、該開口部の一方の側に外側に折り返された折返し部を設け、かつ、これらの両側部を一体的にシールすることを特徴とする浅型排水カゴ用水切り袋である。
【００１０】
請求項３の記載に係る本発明は、通水性を有するシートからなる台所用水切り袋であって、上記シートを二つ折りして底部を形成すると共にその自由端側を開口部とし、該開口部の一方の側に外側に折り返された折返し部を設け、かつ、上記底部を内側にガゼット折りしてＷ型断面の底部とし、さらに、これらの両側部を一体的にシールすることを特徴とする浅型排水カゴ用水切り袋である。
【発明の効果】
【００１１】
請求項１に記載の浅型排水カゴ用水切り袋は、通水性を有するシートを二つ折りして底部を形成すると共にその自由端側を開口部とし、これらの両側部を一体的にシールしたものであるから、ゴミ捕集カゴ、特に、浅型排水カゴに装着した場合、シートの重なりが袋の底部ではなく、袋の側面に形成される。
【００１２】
その結果、特に、底部からの水切れ性が良好になった。
【００１３】
請求項２の記載の浅型排水カゴ用水切り袋は、通水性を有するシートを二つ折りして底部を形成すると共にその自由端側を開口部とし、該開口部の一方の側に外側に折り返された折返し部を設け、かつ、これらの両側部を一体的にシールしたものであるから、ゴミ捕集カゴ、特に、浅型排水カゴに装着した場合、シートの重なりが袋の底部ではなく、袋の側面に形成される。
【００１４】
その結果、特に、底部からの水切れ性が良好になった。また、開口部に設けられた折返し部を反転させることによって開口部を簡単に閉じることができ、廃棄時にゴミなどの内容物が溢れ難くなった。
【００１５】
請求項３の記載の浅型排水カゴ用水切り袋は、通水性を有するシートを二つ折りして底部を形成すると共にその自由端側を開口部とし、該開口部の一方の側に外側に折り返された折返し部を設け、かつ、上記底部を内側にガゼット折りしてＷ型断面の底部とし、さらに、これらの両側部を一体的にシールしたものであるから、請求項１の記載の浅型排水カゴ用水切り袋と同様の利点がある。特に、底部を内側にガゼット折りしてＷ型断面の底部としたため、底部からの水切れ性が極めて良好になった。
【００１６】
もちろん、開口部に設けられた折返し部を反転させることによって開口部を簡単に閉じることができ、廃棄時にゴミなどの内容物が溢れ難くなることは言うまでもない。
【発明を実施するための最良の形態】
【００１７】
以下、本発明の実施の形態を図面を用いて説明する。
図１は本発明に係る浅型排水カゴ用水切り袋の第１の実施形態を示す斜視図、図２は本発明に係る浅型排水カゴ用水切り袋の第２の実施形態を示す斜視図、図３は本発明に係る浅型排水カゴ用水切り袋の第３の実施形態を示す斜視図である。
【００１８】
図１において、１０は、浅型排水カゴ用水切り袋であり、通水性を有するシートによって形成されている。この水切り袋１０は、図示しない長方形のシートを二つ折りして底部１３を形成すると共に、その自由端側を開口部１４としている。その上、上記シートの両側部１１、換言すれば、水切り袋１０の両側部１１をシール部１６によって一体的にシールしている。
【００１９】
図２において、２０は、浅型排水カゴ用水切り袋であり、通水性を有するシートによって形成されている。この水切り袋２０は、図示しない長方形のシートを二つ折りして底部２３を形成すると共に、その自由端側を開口部２４としている。また、開口部２４の一方の側に外側に折り返された折返し部２５を設けている。その上、上記シートの両側部２１、換言すれば、水切り袋２０の両側部２１をシール部２６によって一体的にシールしている。
【００２０】
図３において、３０は、浅型排水カゴ用水切り袋であり、通水性を有するシートによって形成されている。この水切り袋３０は、図示しない長方形のシートを二つ折りして底部３３を形成すると共に、その自由端側を開口部３４としている。また、開口部３４の一方の側に外側に折り返された折返し部３５を設けている。その上、底部３３を内側にガゼット折りしてＷ型断面の底部とし、さらに、上記シートの両側部３１を、換言すれば、水切り袋３０の両側部３１をシール部３６によって一体的にシールしている。
【００２１】
上記の水切り袋１０，２０，３０の横幅Ｗは、２０〜３０ｃｍ、高さＨは、６〜１５ｃｍとなっている。
ここで、浅型排水カゴとは、深さが直径の１／２以下のものをいう。
【００２２】
水切り袋の底部３３を形成するガゼット折込み長さ（深さ）Ｈ2は、４〜７ｃｍが好ましい。７ｃｍを超えると、ゴミ捕集カゴに装着した場合、袋の底部に余分なヒダができ易く、水切れ性が悪くなる。一方、４ｃｍ未満では、ガゼット折込みの無いものと、余り変わりがない。
【００２３】
折返し部の長さＨ1は、３〜１０ｃｍが好ましい。３ｃｍ未満では、折返し部を反転させた場合、開口部を充分に閉塞することができない。一方、１０ｃｍを超えると、折返し部２５，３５を反転させ難く、反転時に折返し部２５，３５の側面シール部２１，３１が破れるおそれがある。
【００２４】
水切り袋両側部のシールは、ヒートシールによることが好ましいが、その他の接着手段、例えば、ホットメルトシール、溶断シール、超音波シールなどであっても良く、また、その他の公知の方法でも良い。
【００２５】
水切り袋の素材となるシートとしては、不織布、和紙、ネット、多数の孔を有するフィルムなどが好ましく用いられる。
【００２６】
シートの素材としては、例えば、合成樹脂、パルプなどが挙げられるが、ヒートシール性を考慮すると、ポリエステル、ポリアミド、ポリプロピレン、ポリエチレンなどの熱可塑性樹脂が好ましい。これらの素材は、単独で用いてもよいが、２種類以上を組み合わせて用いてもよい。その場合、例えば、合成繊維とパルプとで構成される不織布、主体繊維とバインダーとからなる不織布などが挙げられる。
【００２７】
ここで、主体繊維としては、ポリプロピレン、ポリエステル、ポリアミド、アクリルなどの合成繊維が好適であるが、レーヨン、コットンなどの再生繊維や天然繊維でもよく、また、合成繊維や天然繊維の混合物であってもよい。
【００２８】
バインダーとしては、ポリエチレン／ポリプロピレンや、ポリエチレン／ポリエステルなどの複合繊維（サイドバイサイド、シースコア）が好適であるが、ポリアクリル酸エステルやポリ酢酸ビニルなどの樹脂であってもよい。なお、ウォータージェットによるスパンレース法不織布の場合は、バインダーを省略することも可能である。
【００２９】
また、焼却可能で生分解性を有し、かつ、水切り袋として使用できる程度の耐水性を有するものを採用することもできる。生分解性の素材は限定されない。例えば、アセテート、レーヨン、セルロース、デンプン、ポリアミノ酸、キトサン／セルロース、小麦グルテン、大豆カゼイン、海藻アガロース、生分解性脂肪族ポリエステル、ポリカクロラクトン（ＰＣＬ）、ＰＣＬ／デンプン、ＰＣＬ／ポリアミド、ポリグリコリド（ＰＧＡ）、ポリ乳酸（ＰＬＡ）などを採用することができる。
【００３０】
素材シートとして不織布を用いる場合、不織布を構成する繊維の単糸繊維は、１〜２０ｄｔが好ましく、特に、３〜１５ｄｔが好ましい。単糸繊維が２０ｄｔを超えると、繊維どうしの間隔が大きくなるなどし、微細懸濁物に対する捕集性が悪化する。
【００３１】
また、不織布の目付は、１５〜２５ｇ／ｍ2が好ましい。目付が１５ｇ／ｍ2未満であると、強度が不足するばかりか、微細懸濁物に対する捕集性が悪化する。一方、２５ｇ／ｍ2を超えると水切れ速度が遅くなり実用性に欠ける恐れがある。
【００３２】
このような不織布のうち、単糸繊維が１ｄｔ未満であるもの、あるいは、目付が２５ｇ／ｍ2を超えるものは、通常、緻密で水切れ性の良くない不織布であるが、孔開け加工することにより、水切り性の良い素材シートとすることができる。
【００３３】
素材シートとして、合成樹脂からなるフィルムを用いる場合には、フィルムの厚さは、８〜１００μｍが好ましく、さらには、１４〜４０μｍが好ましい。フィルムの厚さが８μｍ未満では、水切り袋としての強度が足りない。一方、１００μｍを超えると、コスト高になる。フィルムの形成は、Ｔダイ法、インフレーション成形法など、使用する合成樹脂により、適宜、選択すればよい。
【００３４】
素材シートとして、フィルム、ネット、あるいは割布を用いる場合には、加工性や製袋性の観点から、ポリエチレン製のものがよい。
【００３５】
上記のように、本発明の浅型排水カゴ用水切り袋の一つは、通水性シートを二つ折りして底部１３を形成したものであるから、浅型ゴミ捕集カゴに装着した場合、シートの重なりが袋の底部ではなく、袋の側面に形成される。この結果、特に、底部からの水分が抜け易く、水切れ性が極めて良好となる。
【００３６】
本発明の浅型排水カゴ用水切り袋のもう一つは、通水性シートを二つ折りして底部２３を形成したものであるから、浅型ゴミ捕集カゴに装着した場合、シートの重なりが袋の底部ではなく、袋の側面に形成される。この結果、特に、底部からの水分が抜け易く、水切れ性が極めて良好となる。さらに、開口部２４の外側に折返し部２５を設け、廃棄時に折返し部２５を、矢印Ｄのように、反転することにより、開口部２５の閉塞を簡単に行うことができる。
【００３７】
本発明の浅型排水カゴ用水切り袋の他の一つは、水切り袋の底部３３を、内側にガゼット折りしてＷ型断面の底部としたものであるから、浅型ゴミ捕集カゴに装着した場合、袋底部の広がり性が良好であり、特に、底部からの水切れ性が極めて良好となる。さらに、開口部３４の外側に折返し部３５を設け、廃棄時に折返し部３５を、矢印Ｄのように、反転することにより、開口部３４の閉塞を簡単に行うことができる。
【産業上の利用可能性】
【００３８】
本発明の水切り袋は、底部からの水切れ性が良好で、浅型の排水かご用のものとして最適である。
【図面の簡単な説明】
【００３９】
【図１】本発明に係る水切り袋の第１の実施形態を示す斜視図である。
【図２】本発明に係る水切り袋の第２の実施形態を示す斜視図である。
【図３】本発明に係る水切り袋の第３の実施形態を示す斜視図である。
【図４】従来の水切り袋の斜視図である。
【符号の説明】
【００４０】
２０  浅型排水カゴ用水切り袋
２１  両側部
２３  底部
２４  開口部
２５  折返し部
【図１】
2005213023.tif 000003
【図２】
2005213023.tif 000004
【図３】
2005213023.tif 000005
【図４】
2005213023.tif 000006